(57)【特許請求の範囲】
【請求項１】
左右一対の検眼窓に検眼レンズを配置し自覚式の検眼を行う自覚式検眼装置において、前記検眼レンズとして連続して度数が変化するアルバレッツレンズを用いて前記左右一対の検眼窓のそれぞれに配置したことを特徴とする自覚式検眼装置。
【発明の詳細な説明】
【０００１】
【発明の属する技術分野】
本発明は検眼装置に関し、より詳しくは、検眼を迅速に行うことのできる自覚式検眼装置に関する。
【０００２】
【従来の技術】
種々の度数の検眼レンズを備え、各検眼レンズを選択的に被検眼に対する光路に臨ませて自覚式の検眼を行う自覚式検眼装置が提案されている。
【０００３】
【発明が解決しようとする課題】
このような自覚式検眼装置においては、度数を変更するためにはレンズ自体を変更しなければならなかったので、多種の度数の検眼レンズを用意して様々な被検眼の屈折力に対応する必要があった。
【０００４】
そこで、本発明は、個々の被検眼に対応して検眼レンズを用意する必要がなく、迅速な検眼を行うことが可能な自覚式検眼装置を提供することを目的とするものである。
【０００５】
【課題を解決するための手段】
請求項１記載の自覚式検眼装置は、左右一対の検眼窓に検眼レンズを配置し自覚式の検眼を行う自覚式検眼装置において、前記検眼レンズとして連続して度数が変化するアルバレッツレンズを用いて前記左右一対の検眼窓のそれぞれに配置したことを特徴とする。
【０００７】
【発明の実施の形態】
図１に示す検眼装置１は、本発明に係る自覚式検眼装置からなる自覚式検眼手段６を適用した検眼装置で、検眼テーブル２の上方に支持部材である支柱３及び第１、第２のアーム４，５を介して吊り下げた各々左右一体構成の図２にも示す前記自覚式検眼手段６及び他覚式検眼手段７と、この他覚式検眼手段７の端面に取り付けた支持板８により支持して前記自覚式検眼手段６の左右の検眼窓９ａ及び９ｂに臨ませた４５度の傾斜配置の可視光透過及び赤外光反射の光学特性を有するミラー部材（ダイクロイックミラー）１０と、前記検眼テーブル２上に配置した各種操作信号を入力する操作部１１及び各種の検眼情報や被検眼Ｅの前顔部像等を表示する液晶ディスプレイ等からなる表示部１２ａを有する入力手段１２と、前記検眼テーブル２の先方に自覚式検眼手段６から３ｍ、５ｍ等の位置に配置される遠方視用の視標Ｃを呈示する視力表装置１３とを備えている。
【０００８】
図３に概略を示す本発明に係る自覚式検眼手段６は、箱形のユニット１５内にはレンズ取付部材である各々左右一対からなる第１、第２及び第３のレンズ円板２１、２２及び２３を備える。これら３対のレンズ円板は、例えば、各第１のレンズ円板２１には０．２５Ｄ単位に構成された球面レンズ群を、各第２のレンズ円板２２には円柱レンズ群を、そして各第３のレンズ円板２３には補助レンズ群を、それぞれ円形配置に取り付けた構成となっている。また、第１、第２及び第３のレンズ円板２１、２２及び２３は、レンズ駆動部２４により各々左右独立して駆動されるようになっている。
【０００９】
第３のレンズ円板２３に配置される補助レンズは、図４乃至図６に示すような連続度数可変レンズ（アルバレッツレンズ）１５が好適である。この連続度数可変レンズ１５は、所定の曲率が分布する曲面を備えた一対のガラス体１６からなり、双方の該曲面を間隙を介して対向させ光路と直交する方向に相対的にスライド又は回転させることで、度数（Ｄ）を負値から正値まで連続的に変化するように構成されている。
【００１０】
より詳しくは、一対のガラス体１６が図４に示すように光路上で一方の凸部と他方の凹部（該凸部と同等の絶対値かつ負の曲率を有する点の近傍）とを対向させるときは、連続度数可変レンズ１５の度数は±０となる。この状態から一対のガラス板１６を相対的にスライドさせて図５に示すように光路上で各々の凸部同士を対向させるときは、その度数は正値を示す。一方、図６に示すように光路上で各々の凹部同士を対向させるときは、その度数は負値となる。
【００１１】
また、一対のガラス体１６が相対的にスライドすることで、光路と各々の曲面が交差する点における曲率は連続的に変化する。これに伴って、連続度数可変レンズ１５の度数は所望のように連続的に変化する。
【００１２】
このような連続度数可変レンズ１５を用いることによりレンズを交換せずにそのままの位置を保った状態で度数を変化させることが可能となるとともに、種々の屈折力をもった被検眼Ｅに対して雲霧等を広範囲に作用させることができる。
【００１３】
前記他覚式検眼手段７は、図７に示すように、左右両眼に対する分離し、かつ、左右対称配置の構成で、前記ミラー部材１０側の端部に一対のカバーガラス２５を備えるとともに、内部に一対のターゲット２６，一対の赤外光を反射し可視光を透過するダイクロイックミラー２７，一対の光束の一部を遮蔽するためのナイフエッジ２８，一対のリレーレンズ２９，一対のフォーカシングレンズ３０，一対の赤外光を反射し可視光を透過するダイクロイックミラー３３，一対の結像レンズ３１，一対のＣＣＤカメラ３２を備え、フォトレフラクション法により、例えば−３Ｄ乃至＋３Ｄの範囲で左右の被検眼Ｅの他覚式の検眼を行うようになっている。
【００１４】
この他覚式検眼手段７の代わりに、図８に示す他覚式検眼手段７Ａを用いることも可能である。
【００１５】
この他覚式検眼手段７Ａは、内部構成を他覚式検眼手段７の片側の構成と略同様とし、カバーガラス２５の外側において、クロス配置のクロスミラー６１，このクロスミラー６１に対向する左右一対の反射ミラー６１ａ、６１ｂを用いて自覚式検眼手段６の左右の検眼窓９ａ、９ｂに対向配置し、左右切り換えるかＣＣＤカメラ３２上に同時に上下に投影されるようになっている。
【００１６】
尚、図８中、３５はカバーガラス２５とハーフミラー２７との間に適宜挿脱される球面レンズ等を用いた補助レンズであり、この補助レンズ３５を用いることにより、他覚式検眼手段７Ａの測定範囲を例えば通常の−１０Ｄ乃至＋１０Ｄから−２０Ｄ乃至＋２０Ｄというように広げることができる。
【００１７】
前記視力表装置１３は、図１に示すような自覚式表示式視力表や、図示していないが投影式視力表等を用い、他覚用の固視標としても共用できるようになっている。
【００１８】
図９は前記他覚式検眼手段７を構成する一方の、例えば右眼用の他覚式ユニット７−１を、やはり左右別体で構成した自覚式検眼ユニット６Ａに着脱可能とした構成を示すものである。
【００１９】
即ち、他覚式ユニット７−１に設けた溝５１を自覚式検眼ユニット６Ａに設けたレール５２に係合して、この他覚式ユニット７−１をスライドさせることで、他覚式ユニット７−１を自覚式検眼ユニット６Ａに合体させることができ、他覚式ユニット７−１から吊り下げたミラー部材１０ａを自覚式検眼ユニット６Ａの検眼窓５５に臨ませるようになっている。
【００２０】
また、前記他覚式ユニット７−１を自覚式検眼ユニット６Ａから取り外した場合、図１０に示すように、他覚式ユニット７−１を単独で被検眼Ｅに対する他覚式検眼を行うことが可能となる。尚、図１０中、５６は他覚式ユニット７−１に取り付けた操作ハンドルである。
【００２１】
次に、図１１乃至図１４を参照して前記入力手段１２について説明する。
【００２２】
入力手段１２の操作部１１には、前記自覚式検眼手段６，他覚式検眼手段７の各種の動作の指示を行う多数のキーを設けている。
【００２３】
即ち、自覚式検眼モード、他覚式検眼モード、自覚式検眼モードのうちの遠用モード、近用モード、他覚式検眼モードにおける両眼、左眼、右眼の各設定を行うキー、その他各種のキーを設けている。
【００２４】
また、このような指示はマウス３６からも行うことができるようになっている。
【００２５】
入力手段１２の表示部１２ａには、種々の態様の表示がされるようになっている。即ち、図１１に示すように、他覚式検眼手段７による球面度数、乱視度数、乱視軸の値や視力値のほか、被検眼Ｅの前顔部像とともに、自覚式検眼手段６を用いる際の右眼、左眼用の視標像（他覚時の固視標を含む）、マウス３６のアイコンＩ等が表示されるようになっている。
【００２６】
また、入力手段１２の表示部１２ａには、図１２に示すように、被検眼Ｅの前顔部像とともに他覚式検眼手段７による球面度数、乱視度数、乱視軸の左右両眼の値と自覚式検眼手段６による球面度数、乱視度数、乱視軸の左右両眼の値とが一覧的に表示され、視力値（１．２，１．５等）や視標像も表示される場合もある。この場合、実際の検眼による視力値１．２を図１１で四角で囲んで示すように反転表示してもよい。
【００２７】
さらに、図１３に示すように、被検眼Ｅの前顔部像とともに他覚式検眼手段７による球面度数、乱視度数、乱視軸の左右両眼の値と自覚式検眼手段６による球面度数、乱視度数、乱視軸の左右両眼の値とを一覧的に表示する場合もある。
【００２８】
さらにまた、図１４に示すように、被検眼Ｅの片側のみの像と、他覚式検眼手段７による球面度数、乱視度数、乱視軸の値と自覚式検眼手段６による球面度数、乱視度数、乱視軸の値とを視力値とともに表示し、かつ、自覚式検眼手段６による検眼の際の視力値に応じた視標像をも合わせて表示し、アイコンＩで特定することも可能である。
【００２９】
尚、自覚式検眼手段６による他覚式検眼手段７の測定光の反射の影響を除くため、被検眼と自覚式検眼手段６及び視力表の光軸に対し、他覚式検眼手段７の光軸を傾けるためミラー単体又は本体全体を傾けるように配置してもよい。
【００３０】
次に、図１５を参照して、検眼装置１の制御系を説明する。
【００３１】
この検眼装置１は、全体の制御を行うＣＰＵを含む制御部４１と、動作プログラムを格納したプログラムメモリ４２とからなる制御手段４０を具備し、この制御部４１に、前記自覚式検眼手段６の２個のレンズ駆動部２４を接続している。
【００３２】
また、制御部４１に他覚式検眼手段７の２個のＣＣＤカメラ３２，被検眼Ｅに照射する赤外光の反射光束を基にこの被検眼Ｅの屈折力を計算し視力値、球面度数、乱視度数、乱視軸等を求める演算部４３とを接続している。
【００３３】
さらに、制御部４１に前記入力手段１２を接続するとともに、視力表装置１３の前記スライド駆動部７０，視標切り換え部８０，図１には図示していないがプリンタ９０とを接続している。
【００３４】
尚、制御部４１のＣＰＵは、自覚式検眼手段６、他覚式検眼手段７に対して１つずつ別々としたり、又は、これら両者について単一のものを用いてもよい。
【００３５】
次に、上述した構成の合体検眼装置１の作用を図１６をも参照して説明する。
【００３６】
検者は、前記自覚式検眼手段６の検眼窓９ａ，９ｂの近傍に被検眼Ｅを固定し、自覚式検眼手段６、前記ミラー部材１０を介して前記スライド機構部７０により所定の位置に配置した視力表装置１３の視標Ｃに対峙させた後、前記操作部１１により他覚検眼モードを設定し測定を開始する。
【００３７】
まず、他覚式検眼手段７は被検眼Ｅに対する前測定を行い（Ｓ１）、このときこの他覚式検眼手段７による本測定可能範囲であれば（Ｓ２）、制御部４１の制御の基に本測定に入る（Ｓ４）。一方、測定範囲外であれば、制御部４１の制御の基に前記自覚式検眼手段６のレンズ駆動部２４が動作し、前記連続度数可変レンズ１５を光路に挿入し、（Ｓ３）、ステップ１に戻る。なお、補助レンズである連続度数可変レンズが挿入されたときは、被検眼の屈折力に対応して度数を変化することが可能であるから、従来のような対応する補助レンズに交換する煩わしさがなく、検眼がスムーズに行われる。
【００３８】
本測定が終了し、被検眼Ｅの他覚式の検眼による他覚検眼データを前記演算部４３で求め、これを制御部４１に送る（Ｓ５）。この結果、制御部４１の制御の基に他覚検眼データは、図１０乃至図１３に示すいずれかの態様で表示部１２ａ上に表示される。
【００３９】
尚、この他覚測定は、左右眼別又は両眼同時に行う。
【００４０】
以上で自覚式の検眼の前の第１段階処理が終了する（Ｓ６）。
【００４１】
次に、検者は、前記操作部１１により自覚検眼モードを設定し、自覚測定を開始する（Ｓ７）。このときに、他覚式測定結果が自覚式検眼手段６に自動的にセットされる。
【００４２】
即ち、被検者の応答に応じて行う操作部１１のレンズ選定操作に基づきレンズ駆動部２４が動作し、自覚式検眼手段６内の球面レンズ又は円柱レンズが例えば０．２５Ｄ単位で動いたか否かが判別され（Ｓ８）、動いた場合には前測定を行い（Ｓ９）、このとき第１段階の場合と同様、他覚式検眼手段７による本測定可能範囲であれば（Ｓ１１）、制御部４１の制御の基に自動的本測定に入る（Ｓ１２）。一方、測定不能範囲であれば、制御部４１の制御の基に前記自覚式検眼手段６のレンズ駆動部２４が動作し、前記連続度数可変レンズ１５を光路に挿入し（Ｓ１０）、ステップ８に戻る。ここでも、同様に、被検眼に対応する補助レンズに交換する煩わしさがない。
【００４３】
この場合の自覚式の検眼に供された球面レンズ又は円柱レンズの光学特性は制御部４１の制御の基に前記表示部１２ａに前記他覚検眼データとともに表示される（Ｓ１３）。このような自覚式の検眼により被検眼Ｅに処方すべきレンズの球面度数等の光学特性を他覚式にスクリーニングして被検者の応答等に左右されずに随時自動的に得ることができ、この後終了か否か判断され（Ｓ１４）、検眼終了となる。
【００４４】
あるいは、被検眼Ｅに処方すべきレンズの自覚式の検眼データを得た後、被検者の被検眼Ｅに対して自覚式の検眼データに基づいて処方したレンズを着用させ、検者は再び前記操作部１１を操作し、他覚検眼モードを設定する。これにより、他覚式検眼手段７による最終的なレンズを着用した状態での他覚式の検眼が実行され、検者は処方したレンズの球面度数、円柱度数、乱視軸等が真に適正か否かを客観的に確認できる。
【００４５】
また、被検者の応答による自覚式の検眼データと、他覚式検眼手段７による客観的なデータとの比較により、更には、レッドグリーテストを行うことで処方したレンズが過矯正か否かの判断も容易に行うことができる。
【００４６】
尚、前記検眼装置１における他覚式検眼手段７と被検眼Ｅとの間の作動距離は、他覚式検眼手段７の自覚式検眼手段６に対する配置で異なるが、フォトレフラクション法による他覚式検眼手段７の場合、図１７，図１８に示すように被検眼Ｅの瞳孔の光量分布を前記ＣＣＤカメラ３２の受光素子上での傾き量αで表し、その相違を演算部４３で演算して屈折力を求めている。
【００４７】
本発明の自覚式検眼装置は、上述したような検眼装置への適用としての実施形態に限定されるものではなく、例えば、自覚式検眼装置単独での構成等、その要旨の範囲内で種々の変形が可能である。
【００４８】
【発明の効果】
本願に係る発明によれば、自覚式検眼装置の検眼レンズは連続度数可変レンズを有するような構成としたので、レンズの位置はそのままの状態で度数を変化させることができ、検眼を迅速に行うことができる。
【図面の簡単な説明】
【図１】本発明の実施の形態を示す斜視図
【図２】本発明の実施の形態の自覚式検眼手段及び他覚式検眼手段の拡大側面図
【図３】本発明の実施の形態の自覚式検眼手段の光学配置図
【図４】本発明の実施の形態の自覚式検眼手段に用いる連続度数可変レンズの断面図
【図５】図４に示す連続度数可変レンズの度数変化状態を示す図
【図６】図４に示す連続度数可変レンズの度数変化状態を示す図
【図７】本発明の実施の形態の他覚式検眼手段の光学構成図
【図８】本発明の実施の形態の他覚式検眼手段の変形例の光学構成図
【図９】左右別体とした他覚式ユニットと自覚式検眼ユニットとの取付状態を示す斜視図
【図１０】図９に示す他覚式検眼ユニットにより被検眼の他覚式検眼を行う状態の説明図
【図１１】本発明の実施の形態における表示部の表示態様を示す斜視図
【図１２】本発明の実施の形態における表示部の表示態様を示す斜視図
【図１３】本発明の実施の形態における表示部の表示態様を示す斜視図
【図１４】本発明の実施の形態における表示部の表示態様を示す斜視図
【図１５】本発明の実施の形態における制御系を示すブロック図
【図１６】本発明の実施の形態の動作を示すフローチャート
【図１７】被検眼の瞳孔の光量とその傾き量との関係を示す説明図
【図１８】被検眼の瞳孔の光量とその傾き量との関係を示す説明図
【符号の説明】
１  検眼装置
６  自覚式検眼手段
７  他覚式検眼手段
１０  ミラー部材
１２  入力手段
１５  連続度数可変レンズ
１６  一対のガラス体
２１  第１のレンズ円板
２２  第２のレンズ円板
２３  第３のレンズ円板
【図１】
0003681705.tif 000002
【図２】
0003681705.tif 000003
【図３】
0003681705.tif 000004
【図４】
0003681705.tif 000005
【図５】
0003681705.tif 000006
【図６】
0003681705.tif 000007
【図７】
0003681705.tif 000008
【図８】
0003681705.tif 000009
【図９】
0003681705.tif 000010
【図１０】
0003681705.tif 000011
【図１１】
0003681705.tif 000012
【図１２】
0003681705.tif 000013
【図１３】
0003681705.tif 000014
【図１４】
0003681705.tif 000015
【図１５】
0003681705.tif 000016
【図１６】
0003681705.tif 000017
【図１７】
0003681705.tif 000018
【図１８】
0003681705.tif 000019